(57)【要約】【課題】バックアップされた映像データの確認や一部分を利用する場合であっても、バックアップされた単位で全てを復元する必要があるという課題がある。【解決手段】バックアップ装置１００は、映像データを含む少なくとも一つの映像ファイル１２０、及び音声データを含む少なくとも一つの音声ファイル１３０が記録されたバックアップ元記録媒体１１０へのアクセスを制御する第１の記録媒体制御部と、バックアップ元記録媒体１１０上のデータをバックアップするバックアップ先記録媒体１５０へのアクセスを制御する第２の記録媒体制御部と、第１の記録媒体制御部を介して、同一時間における映像データ及び音声データを所定の時間間隔単位で順次読み出し、読み出した映像データ及び音声データをまとめて、第２の記録媒体制御部を介して、バックアップ先記録媒体１５０へ記録する。【選択図】図１
2011160410.tif 000002
【特許請求の範囲】
【請求項１】
映像データを含む少なくとも一つの映像ファイル、及び音声データを含む少なくとも一つの音声ファイルが記録された第１の記録媒体へのアクセスを制御する第１の記録媒体制御部と、
前記第１の記録媒体上のデータをバックアップする第２の記録媒体へのアクセスを制御する第２の記録媒体制御部と、
前記第１の記録媒体制御部を介して、同一時間における映像データ及び音声データを所定の時間間隔単位で順次読み出し、読み出した映像データ及び音声データをまとめて、前記第２の記録媒体制御部を介して、前記第２の記録媒体へ記録する記録制御部と、
を備える記録装置。
【請求項２】
前記記録制御部は、
前記第１の記録媒体制御部を介して、前記映像ファイルの前記映像データに関するメタ情報を含むヘッダ情報及びフッタ情報、並びに前記音声ファイルの前記音声データに関するメタ情報を含むヘッダ情報及びフッタ情報を読み出し、読み出したヘッダ情報及びフッタ情報をまとめて、前記第２の記録媒体制御部を介して、前記第２の記録媒体へ記録する
請求項１に記載の記録装置。
【請求項３】
前記記録制御部は、
前記第１の記録媒体から読み出した映像データおよび音声データと、前記第１の記録媒体から読み出したヘッダ情報およびフッタ情報とをまとめて、前記第２の記録媒体制御部を介して、前記第２の記録媒体へ記録する
請求項２に記載の記録装置
【請求項４】
前記記録制御部は、
同一時間における映像データ及び音声データを、前記所定の時間間隔単位として、フレーム単位で順次読み出す
請求項１から３の何れかに記載の記録装置。
【請求項５】
前記第１の記録媒体制御部は、
ランダムアクセス可能な第１の記録媒体へのアクセスを制御し、
前記第２の記録媒体制御部は、
ランダムアクセス不可か、又はシークに時間を要する第２の記録媒体へのアクセスを制御する
請求項１から４の何れかに記載の記録装置。
【請求項６】
映像データを含む少なくとも一つの映像ファイル、及び音声データを含む少なくとも一つの音声ファイルが記録された第１の記録媒体から、前記映像データ及び前記音声データを読み出す読み出し工程と、
前記読み出し工程を用いて、同一時間における映像データ及び音声データを所定の時間間隔単位で順次読み出し、読み出した映像データ及び音声データをまとめて、バックアップデータを作成するデータ作成工程と、
前記データ作成工程で作成したバックアップデータを第２の記録媒体に記録する記録工程と、
を含む記録方法。
【発明の詳細な説明】
【技術分野】
【０００１】
本発明は半導体メモリカード等の記録媒体に記録された映像ファイル及び音声ファイルを、磁気テープ等の他の記録媒体にバックアップする記録装置及び記録方法に関するものである。
【背景技術】
【０００２】
放送局で用いられる業務用カメラは、撮影した映像データ等を記録する記録媒体として、小型で取り扱いの容易な半導体メモリカードを用いるものが増えている。しかしながら、半導体メモリカードは、テープ等の記録媒体と比較して、記録容量あたりの単価が高い。したがって、撮影した映像データの保存にあたって、半導体メモリカード上に記録された映像データは、デジタルテープ等にバックアップされる。
【０００３】
映像データをアーカイブする方法として、例えば、特許文献１に開示の技術がある。特許文献１では、撮影した映像データ等からなるエッセンスをアーカイブするにあたって、映像データの内容を連想させるメタデータを付与する技術が開示されている。これにより、アーカイブオペレーションの自動化を図ることができる。
【先行技術文献】
【特許文献】
【０００４】
【特許文献１】特開２００１−２９８６９９号公報
【発明の概要】
【発明が解決しようとする課題】
【０００５】
しかしながら、従来、映像データをテープにバックアップする場合には、バックアップ装置は、映像データをバックアップ単位に１ファイルに結合して保存する。バックアップ装置は、映像データを復元する場合には、バックアップされた単位にファイルとして復元した後で、必要なファイルを取り出す。したがって、バックアップ装置は、映像データを復元するにあたって、ハードディスク等の大容量の一次記憶媒体が必要となるという課題がある。また、バックアップ装置は、バックアップされた映像データの確認や一部分を利用する場合であっても、バックアップされた単位で全てを復元する必要があるという課題がある。
【課題を解決するための手段】
【０００６】
上記課題を解決するために、記録装置は、映像データを含む少なくとも一つの映像ファイル、及び音声データを含む少なくとも一つの音声ファイルが記録された第１の記録媒体へのアクセスを制御する第１の記録媒体制御部と、前記第１の記録媒体上のデータをバックアップする第２の記録媒体へのアクセスを制御する第２の記録媒体制御部と、前記第１の記録媒体制御部を介して、同一時間における映像データ及び音声データを所定の時間間隔単位で順次読み出し、読み出した映像データ及び音声データをまとめて、前記第２の記録媒体制御部を介して、前記第２の記録媒体へ記録する記録制御部と、を備える。
【発明の効果】
【０００７】
上記の構成によって、第２の記録媒体にバックアップされた映像データや音声データの内容確認や、一部分だけを活用する場合でも、読み出すデータを少なくすることができ、データ復元時間を短縮することができる。
【図面の簡単な説明】
【０００８】
【図１】実施の形態１におけるバックアップ装置のシステム構成を示すブロック図
【図２】実施の形態１におけるバックアップ装置の構成を示すブロック図
【図３】実施の形態１におけるバックアップ元記録媒体に保存されているファイルのデータ構造を示す図
【図４】実施の形態１におけるバックアップ先記録媒体に保存するファイルのデータ構造を示す図
【図５】実施の形態１におけるクリップの構成を示す図
【図６】実施の形態１におけるバックアップ動作を示すフローチャート
【図７】実施の形態１における映像音声ファイルの変換動作を示すフローチャート
【図８】実施の形態１におけるコンテンツパッケージ処理動作を示すフローチャート
【発明を実施するための形態】
【０００９】
（１．構成）
（１−１．バックアップ装置のシステム構成）
図１にバックアップ装置のシステム構成を示す。バックアップ装置１００は、バックバックアップ元記録媒体１１０に記録された映像ファイル１２０、音声ファイル１３０を、バックアップ先記録媒体１５０にバックアップする。バックアップ元記録媒体１１０として、ランダムアクセス可能な半導体メモリや、ハードディスク等が用いられる。バックアップ先記録媒体１５０として、シーケンシャルアクセスを行う磁気テープや、ランダムアクセス可能であるがシークに時間がかかる光ディスク等が用いられる。
【００１０】
バックアップ元記録媒体１１０は、複数の映像ファイル１２０と複数の音声ファイル１３０を格納する。映像ファイル１２０と音声ファイル１３０は、種々の方法により互いに関連付けられる。関連付けの方法として、ファイル名称を同一にすること、同一フォルダ内に保存すること、ファイル内に同じ識別情報を有すること、又は別に関連付けファイルを持つこと等が用いられる。バックアップ先記録媒体１５０はバックアップ用に複数の映像音声ファイル１６０と複数の付加データファイル１７０を保存する。
【００１１】
（１−２．バックアップ装置の構成）
図２は、実施の形態１におけるバックアップ装置の構成を示すブロック図である。実施の形態１では、コンピュータ上でバックアップ装置を実現するためのプログラムを実行することにより、コンピュータをバックアップ装置として動作させる。
【００１２】
図２において、ＣＰＵ２０１はシステム制御部であり、バックアップ装置１００全体を制御する。ＲＯＭ２０２は、ＣＰＵ２０１上で動作するバックアップ装置を実現するプログラムを格納するメモリである。ＣＰＵ２０１は、ＲＯＭ２０２に格納されたプログラムを読み出し、読み出したプログラムを動作させる。ＲＯＭ２０２は、他の制御プログラムや各種固定データが格納される。ＲＡＭ２０３は、ＳＲＡＭ、ＤＲＡＭなどで構成され、プログラム制御変数などを格納するためのメモリである。また、各種設定パラメータ、各種ワーク用バッファもＲＡＭ２０３に格納される。
【００１３】
操作部２０４はキーボードやマウス、タッチパネルなどで構成され、オペレータが各種入力操作を行うための指示入力装置である。表示部２０５は、画像を含む各種情報を表示するディスプレイ装置である。
【００１４】
第１の記録媒体制御部２０６は、第１の記録媒体１１０に記録された映像データを含む各種情報の読み出し、第１の記録媒体１１０への情報の書き込みを制御する制御部である。
【００１５】
第２の記録媒体制御部２０７は、第２の記録媒体１５０への映像データを含む各種情報の書き込み、第２の記録媒体１５０に記録された情報の読み出しを制御する制御部である。
【００１６】
（１−３．バックアップ元記録媒体中のデータ構造）
図３はバックアップ元記録媒体１１０に保存されている映像ファイル１２０と音声ファイル１３０のデータ構造である。
【００１７】
図３（ａ）はバックアップ元記録媒体１１０に保存されている映像ファイル１２０のデータ構造である。映像ファイル１２０は、ヘッダーパーティション３１０と、ヘッダーメタデータ３２０と、ビデオエッセンス３３０と、フッターパーティション３４０で構成される。ヘッダーパーティション３１０は、ＳＭＰＴＥ（ｔｈｅ  Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）３７７Ｍで規定されているファイルの先頭に配置するデータである。ヘッダーパーティション３１０には、ファイル内の位置情報や、映像データのフォーマットの識別情報等が格納される。ヘッダーメタデータ３２０は映像データに関する映像メタデータを格納する。映像メタデータとして、映像データの画角やアスペクト比やデータサイズ等が格納される。ビデオエッセンス３３０は映像データ本体である。フッターパーティション３４０はＳＭＰＴＥ３７７Ｍで規定されている最後のパーティションに配置するデータである。フッターパーティション３４０には、ヘッダーパーティション３１０と同一種類の情報が格納されるが、ファイル内の位置情報を指し示すにあたって、基準となる位置が異なる。
【００１８】
図３（ｂ）はバックアップ元記録媒体１１０に保存されている音声ファイル１３０のデータ構造である。バックアップ元記録媒体１１０には、音声チャンネル数分の音声ファイル１３０が格納されている。音声ファイル１３０は、ヘッダーパーティション３１１と、ヘッダーメタデータ３２１と、オーディオエッセンスＣＨ３３１と、フッターパーティション３４１で構成されている。ヘッダーパーティション３１１は、ヘッダーパーティション３１０と同一種類の情報で、音声データに応じた内容が格納される。ヘッダーメタデータ３２１は音声データに関する音声メタデータを格納する。音声メタデータとして、音声データのサンプリング周波数やデータサイズ等が格納される。オーディオエッセンスＣＨ３３１は音声チャンネル毎の音声データ本体である。フッターパーティション３４１はＳＭＰＴＥ３７７Ｍで規定されている最後のパーティションに配置するデータである。フッターパーティション３４１には、ヘッダーパーティション３１１と同一種類の情報が格納されるが、ファイル内の位置情報を指し示すにあたって、基準となる位置が異なる。
【００１９】
（１−４．バックアップ先記録媒体中のデータ構造）
図４はバックアップ先記録媒体１５０に保存する映像音声ファイル１６０と付加データファイル１７０のデータ構造である。付加データファイル１７０として、映像付加データファイルと音声付加データファイルが存在する。
【００２０】
図４（ａ）はバックアップ先記録媒体１５０に保存する映像音声ファイル１６０のデータ構造である。映像音声ファイル１６０は、ヘッダーパーティション４１０と、ヘッダーメタデータ４２０と、複数のコンテンツパッケージ４３０と、フッターパーティション４４０で構成される。ヘッダーパーティション４１０は、ＳＭＰＴＥ３７７Ｍで規定されているファイルの先頭に配置するデータである。ヘッダーパーティション４１０は、ヘッダーパーティション３１０及びヘッダーパーティション３１１と同一種類の情報で、コンテンツパッケージ４３０の中身に応じた情報が格納される。ヘッダーメタデータ４２０は、コンテンツパッケージ４３０に格納する映像データ及び音声データに関する映像音声メタデータを格納する。映像音声メタデータとして、映像データの画角やアスペクト比やデータサイズや、音声データのサンプリング周波数やデータサイズ等が格納される。コンテンツパッケージ４３０は、映像ファイル１２０中の映像データ及び音声ファイル１３０中の音声データを既定時間単位で抽出した映像データ及び音声データの本体である。コンテンツパッケージ４３０は、後述のビデオエッセンス（フレーム）４３１とオーディオエッセンスＣＨ（フレーム）４３２を時系列に並べて配置する。フッターパーティション４４０はＳＭＰＴＥ３７７Ｍで規定されている最後のパーティションに配置するデータである。フッターパーティション４４０には、ヘッダーパーティション４１０と同一種類の情報が格納されるが、ファイル内の位置情報を指し示すにあたって、基準となる位置が異なる。
【００２１】
図４（ｂ）はバックアップ先記録媒体１５０に保存する映像用付加データファイル４７０のデータ構造である。映像用付加データファイル４７０は、ヘッダーパーティション４５０と、ヘッダーメタデータ４５１と、フッターパーティション４５２で構成される。ヘッダーパーティション４５０、ヘッダーメタデータ４５１及びフッターパーティション４５２は、それぞれバックアップ元記録媒体１１０に記録された映像ファイル１２０のヘッダーパーティション３１０、ヘッダーメタデータ３２０及びフッターパーティション３４０が、そのまま格納される。
【００２２】
図４（ｃ）はバックアップ先記録媒体１５０に保存する音声用付加データファイル４８０のデータ構造である。音声用付加データファイル４８０は、ヘッダーパーティション４６０と、ヘッダーメタデータ４６１と、フッターパーティション４６２で構成される。ヘッダーパーティション４６０、ヘッダーメタデータ４６１及びフッターパーティション４６２は、それぞれバックアップ元記録媒体１１０に記録された音声ファイル１３０のヘッダーパーティション３１１、ヘッダーメタデータ３２１及びフッターパーティション３４１が、そのまま格納される。
【００２３】
図４（ｄ）は映像音声ファイル１６０を構成するコンテンツパッケージ４３０のデータ構造である。コンテンツパッケージ４３０は、複数のビデオエッセンス（フレーム）４３１と、複数のオーディオエッセンスＣＨ（フレーム）４３２で構成される。ビデオエッセンス（フレーム）４３１はビデオエッセンス３３０をフレーム単位で分割したデータである。オーディオエッセンスＣＨ（フレーム）４３２はオーディオエッセンス３３１をフレーム単位で分割したデータである。オーディオエッセンスＣＨ（フレーム）４３２には、音声チャンネル分のオーディオエッセンスＣＨ（フレーム）が格納される。コンテンツパッケージ４３０には、ビデオエッセンス（フレーム）４３１とチャンネル数分のオーディオエッセンスＣＨ（フレーム）４３２が、バックアップ元記録媒体１１０の映像ファイル１２０中に格納された映像データのフレーム数分格納される。あるフレームに対するビデオエッセンス（フレーム）４３１とチャンネル数分のオーディオエッセンスＣＨ（フレーム）４３２に引き続き、次のフレームに対するビデオエッセンス（フレーム）４３１とチャンネル数分のオーディオエッセンスＣＨ（フレーム）４３２が格納される。
【００２４】
図５にクリップ５００の構成を示す。クリップとは、映像ファイルとそれに対応する音声ファイルとをひとまとめにしたものである。クリップ５００は映像ファイル５１０と音声チャンネル数個の音声ファイル５２０で構成される。
【００２５】
（２．動作）
（２−１．バックアップ装置の動作）
図６はバックアップ装置がバックアップ元記録媒体１１０の映像ファイル１２０と音声ファイル１３０を、バックアップ先記録媒体１５０にバックアップする際の動作を示すフローチャートである。
【００２６】
バックアップ装置１００は、オペレータが操作部２０４を用いてバックアップ元記録媒体１１０中のバックアップ対象のクリップを構成する映像ファイル１２０及び音声ファイル１３０を指定して、バックアップ開始操作を行うことにより、バックアップ動作を開始する。また、バックアップ装置１００は、バックアップ元記録媒体１１０の記録容量を監視し、記録されている映像ファイル１２０及び音声ファイル１３０のデータ容量が所定量以上になったときに、自動的にバックアップ動作を開始してもよい。
【００２７】
バックアップ装置１００は、バックアップ元記録媒体１１０に記録された映像ファイル１２０のヘッダーパーティション３１０、ヘッダーメタデータ３２０及びフッターパーティション３４０、並びに音声ファイル１３０のヘッダーパーティション３１１、ヘッダーメタデータ３２１及びフッターパーティション３４１を読み取って、クリップ５００毎（Ｓ６１０）に、ビデオ付加データファイル４７０とチャンネル数個のオーディオ付加データファイル４８０を構成するデータを抽出し、付加データファイル１７０に格納するビデオ付加データ及び音声付加データを作成する（Ｓ６２０）。バックアップ装置１００は、クリップ数分、付加データの作成動作を繰り返す。バックアップ装置１００は、全てのクリップの付加データの作成が完了すると、作成した付加データを付加データファイル１７０として、バックアップ先記録媒体１５０へ書き込む（Ｓ６３０）。
【００２８】
バックアップ装置１００は、クリップ５００毎（Ｓ６４０）に、後述する映像音声ファイル変換処理、及びバックアップ先記録媒体１５０への書き込みを行う（Ｓ６５０）。
【００２９】
バックアップ装置１００は、バックアップ対象の全クリップの変換が完了すると（Ｓ６４０でＮｏ）、処理を終了する。
【００３０】
（２−２．映像音声ファイル変換動作）
以下に、上述の映像音声ファイルの変換動作の詳細を説明する。図７は映像音声ファイル変換動作を示すフローチャートである。
【００３１】
バックアップ装置１００は、映像ファイル１２０と音声ファイル１３０から、そのファイル中の映像データ及び音声データの内容に応じて、映像音声ファイルのヘッダーパーティション４１０とヘッダーメタデータ４２０とフッターパーティション４４０を作成する（Ｓ７１０）。
【００３２】
バックアップ装置１００は、バックアップ先記録媒体１５０に作成したヘッダーパーティション４１０とヘッダーメタデータ４２０を書き込む（Ｓ７２０）。
【００３３】
バックアップ装置１００は、映像ファイル１２０中のビデオエッセンス３３０に格納されている映像データのフレーム長を読み取り、そのフレーム長に達するまで（Ｓ７３０）、フレーム単位で、コンテンツパッケージ処理（Ｓ７４０）とコンテンツパッケージ書き込み（Ｓ７５０）を実行する。コンテンツパッケージ処理の詳細は後述する。
【００３４】
バックアップ処理装置１００は、映像ファイル１２０中のビデオエッセンス３３０に格納されている映像データ、及び音声ファイル１３０中のオーディオエッセンスＣＨ３３１に格納されている全てのチャンネルの音声データに関して、全フレームの処理が終了した後に（Ｓ７３０でＮｏ）、フッターパーティション４４０を書き込む（Ｓ７６０）。
【００３５】
（２−３．コンテンツパッケージ処理動作）
図８はコンテンツパッケージ処理動作の詳細を示すフローチャートである。
【００３６】
バックアップ処理装置１００は、映像ファイル１２０のビデオエッセンス３３０から、ビデオエッセンス３３０の１フレーム分の映像データを、ビデオエッセンス（フレーム）４３１として抽出する（Ｓ８１０）。
【００３７】
バックアップ処理装置１００は、音声のチャンネル数毎（Ｓ８２０）に、音声ファイル１３０のオーディオエッセンスＣＨ３３１から、オーディオエッセンスＣＨ３３１の１フレーム分の音声データを、オーディオエッセンスＣＨ（フレーム）４３２として、抽出する（Ｓ８３０）。
【００３８】
バックアップ処理装置１００は、抽出したビデオエッセンス（フレーム）４３１とオーディオエッセンスＣＨ（フレーム）４３２からコンテンツパッケージ４３０を作成する。
【００３９】
（３．まとめ）
バックアップ装置１００は、映像データを含む少なくとも一つの映像ファイル１２０、及び音声データを含む少なくとも一つの音声ファイル１３０が記録されたバックアップ元記録媒体１１０へのアクセスを制御する第１の記録媒体制御部２０６と、バックアップ元記録媒体１１０上のデータをバックアップするバックアップ先記録媒体１５０へのアクセスを制御する第２の記録媒体制御部２０７と、第１の記録媒体制御部２０６を介して、同一時間における映像データ及び音声データを所定の時間間隔単位で順次読み出し、読み出した映像データ及び音声データをまとめて、第２の記録媒体制御部２０７を介して、バックアップ先記録媒体１５０へ記録するＣＰＵ２０１上で動作する制御プログラムを備えることにより、バックアップ先記録媒体１５０にバックアップされた映像データや音声データの内容確認や、一部分だけを活用する場合でも、読み出すデータを少なくすることができ、データ復元時間を短縮することができる。
【００４０】
また、バックアップ装置１００は、第１の記録媒体制御部２０６を介して、映像ファイル１２０の映像データに関するメタ情報を含むヘッダ情報３１０、３２０及びフッタ情報３４０、並びに音声ファイル１３０の音声データに関するメタ情報を含むヘッダ情報３１１、３２１及びフッタ情報３４１を読み出し、読み出したヘッダ情報及びフッタ情報をまとめて、第２の記録媒体制御部２０７を介して、バックアップ先記録媒体１５０へ記録することにより、バックアップ実施後に、バックアップ元記録媒体１１０中の映像ファイル１２０及び音声ファイル１３０を消去した場合でも、バックアップ先記録媒体１５０中にバックアップしたデータから、バックアップ元の映像ファイル１２０及び音声ファイル１３０を、完全に復元することができる。
【００４１】
（その他の実施の形態）
実施の形態１において、バックアップ先のコンテンツパッケージ４３０中のビデオエッセンス（フレーム）４３１とオーディオエッセンスＣＨ（フレーム）４３２として、１フレーム単位のデータを抽出し格納するとしたが、これに限定されず、数フレーム単位のデータを抽出し格納してもよいし、数秒単位のデータを抽出し格納してもよい。
【００４２】
実施の形態１において、バックアップ元記録媒体１１０に記録された映像ファイル１２０と音声ファイル１３０をバックアップするとしたが、これに限定されず、映像ファイル１２０と音声ファイル１３０に関連するファイルを同時にバックアップするとしてもよい。
【００４３】
実施の形態１において、映像用付加データファイル４７０と音声用付加データファイル４８０はバックアップ元記録媒体１１０に記録された映像ファイル１２０と音声ファイル１３０の構成要素をそのまま格納するとしたが、これに限定されず、構成要素を別々のファイルとして格納してもよいし、ＳＭＰＴＥ３３６Ｍで規定されているＫＬＶ（Ｋｅｙ−Ｌｅｎｇｔｈ−Ｖａｌｕｅ）構造で格納してもよいし、バックアップ先記録媒体１５０に保存するファイル４９０の中に格納してもよい。映像用付加データファイル４７０と音声用付加データファイル４８０とを、バックアップ先記録媒体１５０のファイル４９０中に格納した場合、ファイル４９０のみを復元することによって、バックアップ元記録媒体１１０中の映像ファイル１２０及び音声ファイル１３０を同一のファイルで復元することができ、映像データや音声データの可搬性を高めることができる。
【００４４】
実施の形態１において、オーディオエッセンスＣＨ３３１は音声チャンネル毎に分かれているとしたが、これに限定されず、オーディオエッセンスＣＨ３３１が音声の複数チャンネルを格納してもよい。その場合のコンテンツパッケージ４３０のデータ構造も同様である。
【産業上の利用可能性】
【００４５】
本実施の形態におけるバックアップ装置は、バックアップした映像データや音声データの内容確認や、一部分だけを活用する場合でも、読み出すデータを少なくすることができ、データ復元時間を短縮することができるため、放送局等におけるバックアップ装置として用いることができ、有用である。
【符号の説明】
【００４６】
１００    バックアップ装置
１１０    バックアップ元記録媒体
１５０    バックアップ先記録媒体
２０１    ＣＰＵ
２０２    ＲＯＭ
２０３    ＲＡＭ
２０４    操作部
２０５    表示部
２０６    第１の記録媒体制御部
２０７    第２の記録媒体制御部
【図１】
2011160410.tif 000003
【図２】
2011160410.tif 000004
【図３】
2011160410.tif 000005
【図４】
2011160410.tif 000006
【図５】
2011160410.tif 000007
【図６】
2011160410.tif 000008
【図７】
2011160410.tif 000009
【図８】
2011160410.tif 000010